Podtech/llm-jp-corpus-v4-ja_patent huggingface dataset:
(57)【要約】      （修正有）【課題】従来の発電は、水力発電、火力発電、原子力発電等で、自然破壊、地球資源の消費、放射能の危険、地球温暖化等、地球規模の環境に悪影響をおよぼしている。【解決手段】タンク等の内部に移動体を設置し、自然の重力、水圧および浮力を利用して、タンク等内の流体を移動体の上部、下部間を循環させ、移動体を上下運動させる。流体を循環させるために、タンクの底部と上部を移送管で連結し、移動体に設置した開閉弁等および移送管に設置されたバルブ等の開閉により、タンク等内の流体を重力、水圧および浮力で、移送管を通して、移動体の上部、下部間を循環させる、流体循環設備及び装置。タンク内に設置された移動体に、連動する連結棒等を取付ける。連結棒等の上下運動を回転機に連動させ、発電等の動力とする、流体循環式発電設備及び装置。【選択図】図３
2005083369.tif 000002
【特許請求の範囲】
【請求項１】
タンク等の内部に移動体を設置し、自然の重力、水圧および浮力を利用して、タンク等内の流体を移動体の上部、下部間を循環させ、移動体を上下運動させる。流体を循環させるために、タンクの底部と上部を移送管で連結し、移動体に設置した開閉弁等および移送管に設置されたバルブ等の開閉により、タンク等内の流体を重力、水圧および浮力で、移送管を通して、移動体の上部、下部間を循環させる、流体循環設備及び装置。
【請求項２】
請求項１記載の移動体に、連動する連結棒等を取付ける。連結棒等の上下運動を回転機に連動させ、発電等の動力とする、流体循環式発電設備及び装置。
【発明の詳細な説明】
【技術分野】
【０００１】  この発明は、自然の重力、水圧および浮力を利用した、流体循環式設備及び装置、流体循環式発電設備および装置である。
【背景技術】
【０００２】  従来の発電は、水力発電、火力発電、原子力発電等によるものである。
【発明の開示】
【発明が解決しようとする課題】
【０００３】  従来の発電は、自然破壊、地球資源の消費、放射能の危険、地球温暖化等、地球の環境に悪影響をおよぼしているが、流体循環式発電設備及び装置を使用した発電は、これらの問題を解決し、恒久的な電力が得られことを課題とする。
【課題を解決するための手段】
【０００４】  以上の課題を解決するために、タンク等の内部に移動体を設置し、自然の重力、水圧および浮力を利用して、タンク等内の流体を移動体の上部、下部間を循環させ、移動体を上下運動させる。流体を循環させるために、タンクの底部と上部を移送管で連結し、移動体に設置した開閉弁等および移送管に設置されたバルブ等の開閉により、タンク等内の流体を重力、水圧および浮力で、移送管を通して、移動体の上部、下部間を循環させる、流体循環設備及び装置。
タンク内に設置された移動体に、連動する連結棒等を取付け、連結棒等の上下運動を回転機に連動させ、発電等の動力とする、流体循環式発電設備及び装置。
【発明の効果】
【０００５】  第一発明、第二発明によれば、従来の発電は、自然破壊、地球資源の消費、放射能の危険、地球温暖化等、地球の環境に悪影響をおよぼしているが、この流体循環式発電設備及び装置を使用した発電は、これらの問題を解決し、恒久的な電力が得られる。
【発明を実施するための最良の形態】
【０００６】  この発明の一実施形態を、図１、図２、図３に示す。
図１  正面断面図
符号１のタンク内に設置された符号２の移動体の下部Ｂゾーンにある流体が、符号２の移動体の重力により圧力を受け、符号６の移送管を通って、符号１のタンク内に設置された、符号２の移動体の上部Ａゾーンに移動する。この状態では、符号２の移動体に組み込まれた符号３の開閉弁は閉の状態で、符号６の移送管に組み込まれた、符号７および８のバルブは開の常態にある。符号２の移動体が徐々に下降するにしたがい、流体は符号６の移送管を通って符号２の移動体の上部Ａゾーンへと移動する。
符号２の移動体が符号１のタンク内に設置された符号５のストッパーまで下降した時、符号６の移送管に組み込まれた符号７および８のバルブは閉の状態となり、符号２の移動体に組み込まれた符号３の開閉弁は開の状態となる。
この瞬間に、符号２の移動体に浮力が働き、符号１のタンク内に設置された符号２の移動体の上部Ａゾーンにある流体が、符号４の通水口を通って、符号２の移動体の下部Ｂゾーンに移動する。符号２の移動体は浮力で徐々に上昇し、符号１のタンク内の流体の水面まで上昇する。
この瞬間に、符号２の移動体に設置された符号３の開閉弁は閉の状態になり、符号６の移送管に設置された符号７および８のバルブは開の状態になる。
これを繰り返すことにより、符号２の移動体は上下運動を繰り返す。
符号２の移動体の上下運動を符号９の連結棒により連結し、符号１０の回転機に接続することにより、回転運動となり、発電の動力源となる。
図２  平面図
この図面は平面図である。
図３  移動体および流体の循環図
符号２の移動体の移動および流体の移動を段階的に表わした図である。
「実施形態の効果」【０００７】  第一発明、または第二発明によれば、流体循環式発電設備及び装置で発電用の動力が得られ、地球資源の消耗を防ぐとともに、地球環境におよぼす温暖化等の影響がなく恒久的な電力が得られる。
「他の実施形態」【０００８】  図１、図２、図３の実施形態では、
符号１は円筒形としているが、三角、四角および多角形でもよい。
符号１はタンクとしているが、槽等でもよい。
符号６の移送管はタンクの外部に設置しているが、タンクの内部に設置してもよい。また、何か所あってもよい。
符号９は連結棒としているが、チェーン、ワイヤー等を使用してもよい。
符号９の連結棒および符号１０の回転機は１か所としているが、何か所あってもよい。
この流体循環式発電設備及び装置は、発電を目的としているが、他の動力源としても利用することができる。
【図面の簡単な説明】
【０００９】
【図１】この発明の一実施形態を示す正面断面図である。
【図２】この発明の一実施形態を示す平面図である。
【図３】この発明の一実施形態を示す移動体および流体の循環図である。
【符号の説明】
【００１０】１  タンク      ２  移動体      ３  開閉弁      ４  通水口
５  ストッパー      ６  移送管      ７  バルブ
８  バルブ      ９  連結棒      １０  回転機
【図１】
2005083369.tif 000003
【図２】
2005083369.tif 000004
【図３】
2005083369.tif 000005
(57)【要約】      （修正有）【課題】  液体が定められた温度状態に達したことを直視により容易に指標できる浮標物体及びその装置を提供する。【解決手段】  液体の上昇温度に対して液体密度が熱膨張により低下する性質を利用して、設定温度に応じた容積と質量を決定した浮標物体１，２を液体中に存在させ、その浮標物体１，２の浮き沈みによって温度を知るように設計計算された浮標物体１，２を構成する。設定温度においては液体中を不安定に上下浮遊し、さらに液体温度が設定温度より高いとき浮標物体１，２は液体の底に位置する。また設定温度より低い液体温度ではその浮遊物体１，２は液面に浮かび上がる状態をとる。この液体温度と浮標物体１，２の位置関係を利用するために浮標物体１，２の容積と質量を決定することにより液体温度を浮標物体１，２の指標によって表現した温度を検出する。【選択図】  図３
2005083933.tif 000002
【特許請求の範囲】
【請求項１】
液体の温度膨張を利用し設定温度により容積と質量を決定した浮標物体を液体中に存在させ液体中の浮標物体の浮き沈み位置で温度を知るための浮標物体及びその装置
【発明の詳細な説明】
【技術分野】
【０００１】
本発明は、液体の温度を知るために液体中に浮標物体を存在させ液体中の浮標物体の上下位置により液体温度を知る装置に関する。
【背景技術】
【０００２】
液体温度を知るには従来温度計を使用しているが、それはその温度数値を読みとらなくてはならない煩わしさがあり、電子式の場合は複雑な電子回路を要した。決められた温度だけ判ればよい場合においてもこれらの温度計測が行われ無駄な時間を要した。
【発明の開示】
【発明が解決しようとする課題】
【０００３】
液体が定められた温度状態に達したことを温度の値を数値計測するのでなく即、直視で容易にその温度を判断できる装置を提供する。
【課題を解決するための手段】
【０００４】
本発明は、液体の上昇温度に対して液体密度が熱膨張により低下する性質を利用して、設定温度に応じた容積と質量を決定した浮標物体を液体中に存在させ、その浮標物体の浮き沈みによって温度を知るように設計計算された浮標物体である。
【０００５】
浮標物体は熱による容積変化のない設計材料を用いる。
【０００６】
この設定温度を決定するには設定温度における液体と同じ密度の浮標物体を存在させると、設定温度においては液体中を不安定に上下浮遊し、さらに液体温度が設定温度より高いとき浮標物体は液体の底に位置する。また設定温度より低い液体温度ではその浮遊物体は液面に浮かび上がる状態をとる。
【０００７】
この液体温度と浮標物体の位置関係を利用して浮標物体の容積と質量を決定することにより液体温度を浮標物体により温度指標する。この浮標物体及びこの装置を提供するものである。
【発明の効果】
【０００８】
本発明の効果として液体温度が変化する場合において浮標物体の場所を視覚的に把握して液体の設定温度を即、知ることができる。
【発明を実施するための最良の形態】
【０００９】
形状にはこだわらないが浮標物体自身が温度上昇により膨張し容積の増大が起こりにくい材質や形状が必要な条件となる。
【実施例１】
【００１０】
実施例は、風呂の適切温度検出の目的として設計された２基の浮標物体を使った例である。風呂温度が「ぬるい設定」では４１度、「熱い設定」では４４度と設定した場合である。４１度を浮標物体の密度平衡の温度としたものと４４度を密度平衡の温度としたものと２基の浮標物体で４１度から４４度を検出する。
【００１１】
浮標物体の設計は、４１度の水の密度は０．９９１８３で４４度での水の密度は０．９９０６３である。浮標物体の容積を１０００立方センチメータとすると４１度を検出用は、その浮力は９９１．８グラムとなるので浮標物体の質量を９９１．８グラムとする。４４度を検出するには９９０．６グラムとなる。
【００１２】
４１度の検出用浮標物体は温度が４１度を超えると低い温度では浮いていたのが徐々に沈み始める。４４度検出用は温度が４４度を超えると徐々に沈み始める。４１度用の浮標物体が沈み、かつ４４度用の浮標物体が浮いている時は風呂温度が４１度から４４度の適温の状態であることが指標できる。
【産業上の利用可能性】
【００１３】
本発明の活用例として家庭では風呂の適切温度検出、水槽やプールの温度確認、更に工業現場では薬品や液体燃料その他液体の温度確認が浮標物体の直視により容易に可能であり、多くの液体温度確認の用途に適用できる。
【図面の簡単な説明】
【００１４】
【図１】４１度検出用浮標物体１０００立方センチメートル９９１．８グラムの図である
【図２】４４度検出用浮標物体１０００立方センチメートル９９０．６グラムの図である
【図３】浮標物体の温度での位置変化の図である
【符号の説明】
【００１５】
１  ４１度指標用の浮標物体Ａ
２  ４４度指標用の浮標物体Ｂ
３  浴槽内の温水
４  浴槽
【図１】
2005083933.tif 000003
【図２】
2005083933.tif 000004
【図３】
2005083933.tif 000005
(57)【要約】【課題】  エアコン等の空調機器が普及した現在では冷暖房効果をあげるために襖や障子を閉める事と、猫などのペットを住宅内の部屋から部屋に移動をさせるために襖や障子を開けておくと言うことが間仕切り方法で相反し障害となっていた。【解決手段】  室内にある襖や障子戸の補助として図１のようなペットが潜れるブラインドを設置すれば解決できる。また、図２のようにペットの潜り窓部分をマグネット製のカッテングシートにして鉄製の枠に吸引する状態を造りだす構造とすれば機密性は更に向上する。【選択図】    図１
2005083071.tif 000002
【特許請求の範囲】
【請求項１】
一般家庭の障子戸、板戸、襖に合わせて取り付けられるように布や塩ビシートや紙等の柔軟性材料又は竹、金属などの硬質棒状材料片を布張りして使用するロール状のペット用ブラインド。
【請求項２】
請求項１のペット用ブラインドを、全体又は一部をゴムなどの伸縮材料を使って折りたたみ方式とした事を特徴としたペット用ブラインド。
【請求項３】
ブラインドを襖と柱の間に設置した時に横をすり抜ける空気を抑えるために横裁断面を毛状加工にし機密性を高める事を特徴としたペット用ブラインド。
【請求項４】
請求項１及び請求項２のペット用ブラインドにおいて、ペットの潜り穴に短冊状に吊り下げたシートの先端をマグネットを利用して引き寄せ、空気の通過防止を図ったペット用ブラインド。
【発明の詳細な説明】
【技術分野】
【０００１】
本発明は襖や障子戸の補助的なものであり、ペット用品の分野に関するものである。
【背景技術】
【０００２】
従来、猫などのペットを部屋から部屋に移動させるには襖やドアを開けたままの状態にしたり、障子戸には障子の貼らない枠を残して猫が潜り抜けられる様に対応していた。
【０００３】
また、襖や板戸には直接穴を開けて猫が潜れるように対応するケースもあった。しかし、アパート等の借家に置いては襖などに直接穴加工を施すことは部屋の貸主との承諾事項となり、ペットが住まなくなった場合は穴がデザイン上の問題となっていた。
【特許文献１】実開平０１−１３１７９０
【特許文献２】実開平０２−１３４１９３
【発明の開示】
【発明が解決しようとする課題】
【０００４】
襖や障子戸を開けたままにして置くと室内で空気の対流が起こりストーブやエアコンなどの冷暖房効率が低くなる。また襖や障子戸を閉めたままにするとペットが開けたり襖紙や障子を損傷させる結果となる可能性が多かった。
【課題を解決するための手段】
【０００５】
本発明は上記の問題に着目して成されたもので、襖や障子はブラインドの位置まで閉めてもペットはブラインドの穴を通過して自由に各部屋への出入りが出来、しかも空気の出入りを抑制できる事から家屋内でのペットの自由性と省エネルギーの２面的な目的を達成する事が出来る。
【０００６】
また、このペット用ブラインドの設置する家屋事情を考えると襖や障子の高さが様々であり襖等の補助家具として提供するにはこの補助家具の高さを自由に加減できる構造としなければならない。そこで襖や障子戸の上部の鴨居部分に取り付けたロール上のシートを引き下ろし、敷居付近に置いた襖のストッパー部分に引っ掛けて使用する事により、各家毎に異なる障子戸や襖の高さの違いを補完することが出来る。
【発明の効果】
【０００７】
本発明に係わるペット用ブラインドを利用することによりペットによる襖紙等の損傷を無くし、更に冷暖房効率の向上が見込める。また、春や秋など冷暖房機器の不使用期間や転居時は簡単に取り外しや保管が可能となる。
【発明を実施するための最良の形態】
【０００８】
ペット移動用の補助家具の形状を巻取りロール状にすることにより様々な高さの家屋事情に合わせた製品とすることが出来、尚且つ巻き取られるシート部分には部屋に合わせた様々な紋様や着色デザインを施すことが出来る。
【実施例】
【０００９】
以下、本発明の実施の形態を図面に基づいて説明する。図１はペット用ブラインドの全体図であり、ペットの通過できるペット潜り口（３）と既存の襖に沿わせてこのブラインドを固定するための高さ調整用巻取りロール機構（１）からなる。
【００１０】
図２はのれん状に配置したカッテングシート（４）の下部にマグネットシート（５）を貼り付け更にその下枠にマグネット又は鉄製のプレート（６）を配置し、ペットが通過する時はシートが前後に倒れ、ペットが通過しないときはマグネットの働きでシートは固定するようになる。
【産業上の利用可能性】
【００１１】
また、このペット用ロールブラインドは、設置する室内の環境に合わせた様々なデザイン塗装が施された製品とすることが出来る。
【００１２】
更に、請求項２の発明に係わる、ペットが潜る穴にマグネット付きのシートを格子状に張れば、機密性が確保されエアコン等の冷暖房の効率が更に向上する。
【図面の簡単な説明】
【００１３】
【図１】ペット用ブラインドの実施方法を示した説明図である。（実施例１）
【図２】ペット用ブラインドを取り付けた状態の側面図である。（実施例２）
【図３】ペット潜り穴拡大図
【符号の説明】
【００１４】
１、巻取りロール機構
２、ロールシート
３、毛状側面
４、ペット潜り口
５、敷居ストッパー
６、カッテングシート
７、マグネットシート
８、マグネット又は鉄枠
９、襖ストッパー
【図１】
2005083071.tif 000003
【図２】
2005083071.tif 000004
【図３】
2005083071.tif 000005
(57)【要約】【課題】これまでの電気冷蔵庫、電気式ワインセラーは、板金、合成樹脂という限られた素材を外装材にしてきた。【解決手段】外装に天然木ツキ板をつかうことでこれまでにない個性的で自然な素材感の電気冷蔵庫、電気式ワインセラーになる。【特許請求の範囲】
【請求項１】
天然木ツキ板を外装に使った電気冷蔵庫、電気式ワインセラー
【発明の詳細な説明】
【発明の詳細な説明】
【技術分野】
【０００１】この発明は、天然木ツキ板の外装を持つ、電気冷蔵庫、電気式ワインセラーに関するものである。
【背景技術】
【０００２】従来、電気冷蔵庫、電気式ワインセラーの外装は、板金を塗装する、或いは合成樹脂を成型したものしかなかった。
【発明が解決しようとする課題】
【０００３】電気冷蔵庫、電気式ワインセラーの外装材は、画一的であり多様化する消費者の嗜好を充分に満たすことができていなかった。
【課題を解決するための手段】
【０００４】本願考案においては、様々な、柄、色味を持つ天然木ツキ板を電気冷蔵庫、電気式ワインセラーの外装に使うことで、新しい質感、暖かさ、豊かさを消費者に提供しようとするものである。
【発明を実施するための最良の形態】
【０００５】天然木ツキ板をＭＤＦ等のファイバーボードに接着させた化粧板を電気冷蔵庫、電気式ワインセラーの外装材として、使用する。
化粧板は、熱伝導率が高い。また、内気と外気の温度さにより生まれる結露、湿気に非常に弱い。この弱点を克服するため、化粧板の内側に結露、湿度に強い、ウレタン塗装を施す。さらに、断熱効果を高めるために内側全体に、ウレタンをはりつける。
【考案の効果】
【０００６】これまで、画一的だった、電気冷蔵庫、電気式ワインセラーの外装に天然木を使うことで、個性的で自然な素材感を持つ電気冷蔵庫、電気式ワインセラーを楽しむことができる。
(57)【要約】      （修正有）【課題】  雨水を雑用水として有効利用すると共に、総合治水対策のひとつである流出抑制対策の各戸貯留施設となる雨水貯留槽を提供する。【解決手段】  雨水貯留槽本体１は、上部と下部からなり、上部には、雨水を鉛直方向一直線上に流入排出ができる９０°曲管３、４、下部が満水になった場合にオーバーフローさせるための越流堰５、雨水を簡易浄化させるためのフィルター層６を設け、下部には、貯留部分、雑用水として取り出すための蛇口１０、メンテナンス用に内部を空にするための排水コック１１を設け、上部から下部へ雨水を取り入れる連絡管路９を設けることを特徴とする。【選択図】  図１
2005083184.tif 000002
【特許請求の範囲】
【請求項１】
雨水貯留槽本体（１）は、上部と下部からなり、上部には、雨水を鉛直方向一直線上に流入排出ができる９０°曲管（３）（４）、下部が満水になった場合にオーバーフローさせるための越流堰（５）雨水を簡易浄化させるためのフィルター層（６）を設け、下部には、貯留部分、雑用水として取り出すための蛇口（１０）、メンテナンス用に内部を空にするための排水コック（１１）を設け、上部から下部へ雨水を取り入れる連絡管路（９）を設けることにより、雨水を雑用水として有効利用すると共に、総合治水対策のひとつである流出抑制対策の各戸貯留施設となる雨水貯留槽。
【発明の詳細な説明】
【技術分野】
【０００１】  この発明は、建物の屋根に降った雨水の排水施設である竪樋から、雨水を分水し貯留することにより、私的には、雨水を雑用水として有効利用するための雨水貯留槽であり、公的には、総合治水対策のひとつである流出抑制対策の各戸貯留施設となる雨水貯留槽に関するものである。
【背景技術】
【０００２】  従来の雨水貯留槽には、地面を掘って地下に設置するものや地上に設置するものでも雨水の集水設備が複雑であった。
【発明の開示】
【発明が解决しようとする課題】
【０００３】  これには次のような欠点があった。
（イ）地下に設置する場合には、地面を掘削しなければならず、そのためのコストが掛かり、既存の宅地では、掘削できる場所も限られてしまう。
（ロ）また、地下に設置した場合、貯留した雨水を汲み上げるためにポンプ等の設備が必要になる。
（ハ）地上に設置した場合でも、集水施設が複雑で簡単に設置できない。
本発明は、これらの欠点を除くためになされたものである。
【課題を解決するための手段】
【０００４】  雨水貯留槽本体（１）は、上部と下部からなり、上部には、雨水を鉛直方向一直線上に流入排出ができる９０°曲管（３）（４）、下部が満水になった場合にオーバーフローさせるための越流堰（５）、雨水を簡易浄化させるためのフィルター層（６）を設け、下部には、貯留部分、雑用水として取り出すための蛇口（１０）、メンテナンス用に内部を空にするための排水コック（１１）を設け、上部から下部へ雨水を取り入れる連絡管路（９）を設けた。
本発明は、以上のような構成によりなる雨水貯留槽である。
【発明の効果】
【０００５】  これには次のような効果がある。
（イ）地下に設置しないため、設置が容易であり、揚水設備も不要となる。
（ロ）既設竪樋（２）を数十センチメートル切断して、切断面と流入排出用９０°曲管（３）（４）とを結合するたけで簡単に設置ができる。
（ハ）雨水貯留槽本体（１）の概観がシンプルである。
（二）雨水をフィルター層（６）にて簡易浄化ができる。
（ホ）下部が満水になった場合やフィルター層（６）で詰まった場合等は、越流堰（５）をオーバーフローして竪樋（２）に戻るので外に漏れる心配がない。
（ヘ）貯まった雨水は、雑用水として利用できる。
（ト）雨水を一時貯留できるため、洪水の調整機能を持つ。
本発明は、これらの効果をもたらすものである。
【発明の実施するための最良の形態】
【０００６】  雨水貯留槽本体（１）に鉛直方向一直線上に流入排出ができる９０°曲管（３）（４）を持ち、竪樋（２）から落ちてきた雨水は流入用９０°曲管（３）から雨水貯留槽本体（１）に流入し、通常は、フィルター層（６）を通り連絡管路（９）から下に落ち、下層に貯まり、雑用水として蛇口（１０）から取り出す。下層が満水のときは、越流堰（５）からオーバーフローして排出用９０°曲管（４）から竪樋（２）に排出される。
本発明は以上のような構造で、雨水貯留槽本体（１）が設置可能で、屋根から最も多く雨水を集水することができる竪樋（２）を選択して雨水貯留槽本体（１）を設置し、貯まった雨水は、雑用水として有効利用する。また、降雨の前には少しでも多くの雨水を貯留できるように、内部を空にして洪水の調整を図れるようにする。
【図面の簡単な説明】
【０００７】
【図１】  本発明の斜視図である。
【図２】  本発明の正面図である。
【図３】  本発明の上面図である。
【図４】  本発明の側面図である。
【符号の説明】
【０００８】  １  雨水貯留槽本体
２  竪樋
３  流入用９０°曲管
４  排出用９０°曲管
５  越流堰
６  フィルター層
７  越流制御板
８  ポンプ・ホース用穴（蓋付）
９  連絡管路
１０  蛇口
１１  排水コック
１２  台座
１３  オリフィス孔
【図１】
2005083184.tif 000003
【図２】
2005083184.tif 000004
【図３】
2005083184.tif 000005
【図４】
2005083184.tif 000006
(57)【要約】【課題】  金庫の搬出盗難が頻発している。  既製の金庫の盗難防止も大事だが、予め事務所等の出入り口に引っ掛かるサイズの盗難予防鋼板を、強固かつ簡単に取り付け出来るように製造された金庫を提供する。【解決手段】（イ）タテ鋼板（１）をなべ頭ボルト（１０ｂ）で、金庫（６）の背板（９）に取り付ける。（ロ）ヨコ鋼板（５）を角頭ボルト（１０）で、底板（１１）と補強板に貫通させ金庫内外から締付ける。ボルト（１０）頭部は座金（１１ａ）の凹陥部に埋設しスパナ等を使用不能にさせる。（ハ）侵入者がまずタテ（１）の、次にヨコ（５）の２枚の盗難予防鋼板を見て早々に犯行を断念し退散する効果を狙う。【選択図】  図４
2005083183.tif 000002
【特許請求の範囲】
【請求項１】
（イ）金庫（６）の背板（９）と底板（１１）に、タテとヨコの盗難予防鋼板装着用のネジ孔を予め設ける。
（ロ）底部のヨコ鋼板（５）に、装着ボルト頭部を埋設する座金（１１ａ）と凹陥部（４）を予め設ける。
以上の構成によりなる盗難予防金庫。
【発明の詳細な説明】
【技術分野】
【０００１】  本発明は、不法侵入者が金庫の盗難を企んでも、金庫のタテとヨコに強固に装着された２枚の盗難予防鋼板が、事務所等の出入り口等に引っ掛かって持ち出せず、犯行を予防するように製造された金庫に関するものである。
【背景技術】
【０００２】  従来は、金庫本体または床や壁に、台座や器具を装置して固定するか、金庫の底面や側面に移動防止バー等を取り付けて盗難を防止していた。
【発明の開示】
【発明が解決しようとする課題】
【０００３】そのために、次のような問題点があった。
（イ）金庫を固定させる施工に技術と費用が必要であった。
（ロ）床や壁の構造により施工が困難であった。
（ハ）既製の金庫への施工のため、金庫の強度を弱めたり、周辺の美観を損ねるおそれがあった。
（ニ）移動防止バー等の場合、バーの押さえとして重いロッカー等が必要であった。
（ホ）通常の移動にもかなりの手間と技術が必要であった。
（ヘ）総じて、複雑な手段により侵入者に悪戦苦闘させ、結果として犯行を断念させるものであった。
本発明は、これらの問題点を解決するためになされたものである。
【課題を解決するための手段】
【０００４】本発明は、特別の追加施工がなくても盗難を予防出来るように製造された盗難予防金庫を提供するものである。
（イ）金庫製造時に補強板（１５）で底板（１１）２ヵ所を補強する。
補強板の素材等は盗難予防鋼板に準じる。（図２）
（ロ）タテの盗難予防鋼板（１）を背板（９）に取り付ける。（図４）
鋼板の長さ（高さ）は出入り口に引っ掛かる長さ。
（ハ）ヨコの盗難予防鋼板（５）を貫通するネジ孔（２）を通して、角頭ボルト（１０ａ）で底板（１１）と補強板（１５）に固定する。（図２）
露出したボルト（１０）頭部は、座金（１１ａ）の凹陥部（４）に埋設させスパナ等の工具を使用不能にする。（図３）
【発明の効果】
【０００５】  金庫の盗難予防対策を積極的に侵入者に示して被害を未然に防止する。すなわち侵入者は、警報装置の作動を当然として、短時間で犯行を企てるが、まず金庫後背面のタテ鋼板（１）で、盗難予防対策を察知し、次に底部のヨコ鋼板（５）が金庫の扉（１４）を開けなければ取り外せないことを発見し、早々に犯行を断念し退散することになる。
【発明を実施するための最良の形態】
【０００６】以下、本発明の実施の形態について説明する。
（イ）タテ鋼板（１）を、なべ頭ボルト（１０ｂ）で背板（９）に取り付ける。位置は左右か中央。外縁部が強力に締め付け出来る。（図４）
（ロ）なべ頭ボルト（１０ｂ）のネジ山は、接着剤等で仮に塞ぎネジ回しを使い難くする。「なべ頭ボルト」は「さら頭ボルト」でも良い。
（ハ）タテ鋼板（１）をＬ字鋼板にするか、数本のボルトを金庫本体に貫通させると締め付けが一層強力になる。
（ニ）タテ鋼板は、機能と美観のため、強度を損なわずにコートや小物掛け又はパネルボード等インテリアに加工するのも良い。
（ホ）底部のヨコ鋼板（５）は、角頭ボルト（１０）で底板（１１）と補強板（１５）に取り付ける。（図２）ボルト（１０）頭部は、座金（１１ａ）の凹陥部（４）に埋設させスパナ等を使えなくする。（図３）
金庫の扉（１４）を開けば内部から簡単にナット（１０ａ）を緩められる。
通常は「六角ボルト」を「角頭ボルト」として使用する。
（ヘ）ヨコ鋼板（５）はさらに金庫の下縁部（３）となべ頭ボルトで固定させる。（図２、４）ボルト（１０ｂ）のネジ山は（ロ）と同じく塞ぐ。
（ト）ヨコ鋼板の位置と方向は、図２のようにＡＢＣＤの中から選択できる。貫通するネジ孔（２）は、少ない孔数で二方向の鋼板に使えるように、サイコロの「２」か「４」の目状に配置する。図４では「２」。
（チ）ヨコ鋼板が室内の障害になるときは、家具や敷物で覆うか若干の折り曲げ加工をする。
（リ）予防鋼板の幅は約１０センチ、厚さは約１センチ程度。長さは出入り口に引っ掛かる長さ。実際には、金庫大のボール箱、木板、台車などで搬出実験をして決める。その後に鋼板の裁断、ネジ孔加工等を行う。
（ヌ）鋼板の剛性は、ハンマーで強打しても簡単に曲がらない強度。
（ル）不要なネジ孔はボルト等で塞ぐ。予防鋼板自体が不要なときも同じ。ボルトの素材は耐火性のあるもの。ボルトの太さは同一。
本発明は以上の構成で、これを実施したときは、盗難予防鋼板を特別な施工や器具がなくても簡単に金庫に装着できる。
不法侵入者は、まず金庫後背部のタテの鋼板（１）で盗難予防体制を察知し、次に底部のヨコの鋼板（５）が座金等で防御され金庫の扉（１４）を開けなければ外せないことを確認し、犯行を断念し退散することになる。
タテかヨコ一方の鋼板を外せば金庫を室外に搬出できるが、犯行時間が長引き露見の可能性が高くなる。
出入り口が広かったり、建物を破壊して鋼板付き金庫を盗み出しても鋼板をつけたまま短時間で普通サイズの逃走車に搭載するのは困難である。
【図面の簡単な説明】
【０００７】
【図１】本発明の正面図
【図２】図１におけるＩＩ−ＩＩ断面図
【図３】本発明の角頭ボルト付近の拡大断面図
【図４】本発明の背面から見た仰瞰図
【符号の説明】
【０００８】  １    タテ鋼板
２    角頭ボルト用ネジ孔
３    なべ頭ボルト用ネジ孔
４    凹陥部
５    ヨコ鋼板
６    金庫
７    右側板
８    左側板
９    背板
１０    角頭ボルト
１０ａ  ナット
１０ｂ  なべ頭ボルト
１１    底板
１１ａ  座金
１２    脚部
１３    天板
１４    扉
１５    補強板
【図１】
2005083183.tif 000003
【図２】
2005083183.tif 000004
【図３】
2005083183.tif 000005
【図４】
2005083183.tif 000006
(57)【要約】【課題】  従来アーチ橋は急峻な渓谷にの架設されている。従って解体撤去には支保工を組み作業床上で解体する工法が一般的であった。この工法は工事費の節減と工期の短縮が限界があり、且つ高所作業のための安全設備費用や安全管理等への十分な配慮が不可欠であった。【解決手段】  橋梁両端の橋台付近に設置した門型鉄塔設備頂部から、斜めに配置された複数のケーブルでアーチを固定する。固定ヶ所は自走式クレーン（トラッククレーン等）で吊り上げ可能な重量となるように配分し、撤去作業は橋梁中央部から開始し、順次端部側へと作業を進める。各部材の切断は安全のため自走式クレーン（トラッククレーン等）で吊った状態で行い切断完了直ちに、切断部材を吊り上げ。２次切断を行うかもしくは、取り付け道路に待機した運搬トラックに積みこみ搬出する。これにより解体工事費用の縮減、工期の短縮さらには安全作業が可能になった。【選択図】図１
2005083186.tif 000002
【特許請求の範囲】
【請求項１】
橋梁両端の橋台付近に設置した門型鉄塔を建て、橋端部付近に設けたグランドアンカーと門型鉄塔頭部を控索で固定し、アーチ本体の切断分割する位置付近と門型鉄塔頭部を斜ケーブルで固定し段取りを終わる。この状態で取り付け道路上に配置したトラッククレーンで切断する区分を仮吊りした状態のまま，アーチを所定位置で切断しクレーンで吊り上げ撤去する工法。
【発明の詳細な説明】
【技術分野】
【０００１】  本発明は、アーチ橋の撤去に関するものである。
【背景技術】
【０００２】  従来アーチ橋の撤去は、▲１▼その立地条件からアーチの下に支保工を組み立て解体する方法及び、▲２▼大型ケーブルクレーンを用いて分割撤去する方法で施工されていた（例えば、非特許文献１参照）。【０００３】  以下、図３、図４により従来の撤去工法について説明する。図において、図３は▲１▼の方法説明図、図４は▲２▼の方法説明図である。
【非特許文献１】  「橋梁撤去技術マニュアル」北陸橋撤去技術協会  ２０００年ｐ．４６
【発明の開示】
【発明が解決しようとする課題】
【０００４】  アーチ橋の架橋地点は渓谷など比較的狭隘な地点であり高所作業となり難易度の高い工事となっている。
従来のアーチ橋の撤去工法▲１▼では支保工用の組立に必要な大量の仮設材と組立に必要な多くの職人、さらには支保工の組み立て解体期間が必要となり高所作業の為の様々な安全設備が必要である。従って工事費用も大きく、工事期間も長くかかるのが一般的であった。
撤去工法▲２▼では大型ケーブルクレーンの構造、特に民家密集地域や重要物の存在する地域で障害となるワイヤーやそのアンカーなど大規模な仮設工事が必要とり、またとび職などの特殊技能職が必要となる。工事期間は▲１▼より短いが、設備費用が大きくなり結果的に工事費は高くなる。
このように従来工法の欠点は、大量の仮設材と技能作業員が必要な事であり，また組立解体に多大の日数を要し、高所作業となり安全設備・教育がより重点事項となる。従って工期は長く，工事費用は大幅に増加していた。【０００５】  本発明は、従来の工法が有していた問題を解決しようとするものであり、短期間に、工事費用を安く、安全にアーチ橋の撤去作業を実施することを目的としたものである。
【課題を解決するための手段】
【０００６】  そして、本発明は上記目的を達成するために、橋梁両端の橋台付近に設置した門型鉄塔を建て、橋端部付近に設けたグランドアンカーと門型鉄塔頭部を控索で固定し、アーチ本体の切断分割する位置付近と門型鉄塔頭部を斜ケーブルで固定し段取りを終わる。そしてこの状態で取り付け道路上に配置したトラッククレーンで切断する区分を仮吊りした状態のまま，アーチを所定位置で切断しクレーンで吊り上げ撤去する工法を提供する。
切断ヶ所は自走式トラッククレーンで吊り上げ可能な重量となるように配分し、部材切断撤去作業は橋梁中央部から開始し、順次端部側へと作業を進める。
アーチ切断部材は、２次切断を行うか又は、取り付け道路に待機したトラックに直接積みこみ搬出する。
【発明の効果】
【０００７】  上述したように本発明のアーチ橋撤去工法には、工法▲１▼のように大量の支保工用仮設材と作業員、工法▲２▼のような大規模なケーブルクレーンや後控索用のコンクリートアンカーなどの設備とその為の大量の運搬トラックや技能職人を長期間必要としない事である。【０００８】  また、作業期間が短期間であり、さらに高所作業が極端に少なく安全性が高く工事費用も従来工法に比べて大幅に低減できることである。
【発明を実施するための最良の形態】
【０００９】  以下、本発明の実施の形態を図１〜図４に基づいて説明する。【００１０】門型鉄塔設備３を組立て、３の頭部から後控索４を張り、グランドアンカー６に固定する。【００１１】門型鉄塔設備３の頭部から切断部分２に向けて、複数の斜吊り材５でアーチ本体１を固定し、１の分割撤去にそなえる。【００１２】次に自走クレーン７で撤去するアーチ本体１の部分を仮吊りした状態で２部分を切断し７にて吊り上げ撤去する。７の能力は１の区分重量を踏まえた作業半径により決定される。【００１３】１は背面で２次切断を行うか又は、順次運搬トラック８に積みこみ搬出する事を繰り返し１の撤去作業が終了する【００１４】３，４，６を解体して全体工事が終了する。
【図面の簡単な説明】
【００１５】
【図１】  本発明の実施形態を示すアーチ橋撤去の段取り説明図
【図２】  本発明の実施形態を示すアーチ橋撤去状況説明図
【図３】  従来の撤去作業用▲１▼支柱式支保工段取り図
【図４】  従来の撤去作業用▲２▼ケーブルクレーン段取り図
【符号の説明】
【００１５】  １  アーチ本体
２  切断位置
３  門型鉄塔設備
４  後控索
５  斜吊り材
６  グランドアンカー
７  自走クレーン（自走式トラッククレーン）
８  運搬トラック
９  支保工
１０  大型ケーブルクレーン
１１  コンクリート重力式アンカー
【図１】
2005083186.tif 000003
【図２】
2005083186.tif 000004
【図４】
2005083186.tif 000005
【図５】
2005083186.tif 000006
【手続補正書】
【提出日】平成16年7月16日(2004.7.16)
【手続補正１】
【補正対象書類名】図面
【補正対象項目名】全図
【補正方法】変更
【補正の内容】
【図１】
2005083186.tif 000007
【図２】
2005083186.tif 000008
【図３】
2005083186.tif 000009
【図４】
2005083186.tif 000010
(57)【要約】【課題】  雨水及び融雪水を貯水槽に導入し、この水を屋根上に揚水し、降水に応じて散水して消雪する循環式消雪装置を提供する。【解決手段】  貯水槽に雨水及び融雪水を溜めこの水を揚水ポンプにより屋根棟上の散水管に導き、雪が降り出した時、降雪センサーが作動し、これに連動する揚水ポンプが作動して散水が開始され、融雪水及び雨水は樋により貯水槽に流入される雨水による循環式消雪装置である。【選択図】  図１
2005083180.tif 000002
【特許請求の範囲】
【請求項１】
屋根軒下に貯水槽を設け、該貯水槽よりポンプを介して散水管を屋根棟上に配管すること、
散水管は取付け金具によって着脱可能に取付けること、
屋根軒端に雨樋を設け、雨樋端に導水管となる立樋を設け、該導水管を前記貯水槽に接続すること、
さらに降雪センサーを設け、該降水センサーと前記ポンプを連動させることを特徴とした雨水循環式屋根消雪装置。
【発明の詳細な説明】
【技術分野】
【０００１】  本発明は、雨水或は屋根上からの融雪水を利用する循環式の屋根消雪装置に関する。
【背景技術】
【０００２】  北国の屋根の消雪・融雪に関しては数多く開発がなされている。例えば温水を利用するもの、地下水を利用するもの更には太陽熱を利用するもの等あるが、それぞれ装置が大掛りとなり、経済的な負担が大きく積極的に利用されていない。
【特許文献１】  特開平６−１９３３１０号公報
【特許文献２】  特開２０００−２５７３０４号公報
【発明の開示】
【発明が解決しようとする課題】
【０００３】  前記文献１に開示されている公知例は、屋根上にスプリンクラーを設けた消雪装置であり、温水を広い面積に散水することを目的とし、文献２の公知例は、水を３５℃に加熱して屋根上の散水管から散水して雪を消雪するものであって、それぞれヒーターやボイラーが必要であり、装置が大掛りとなって経済的な負担がかかる欠点を有している。
【課題を解決するための手段】
【０００４】  発明者はこの点に鑑み、鋭意研究を続けた結果本発明に到達したものであって、本発明は雨水を利用すること及び屋根からの融雪水を雨水と一緒に利用することとし、貯水槽に揚水ポンプを設け、屋根棟上に散水管を取外し可能に配設し、軒端には横樋と立樋を設け、立樋から落ちる雨水及び融雪水を貯水槽に導入して再び揚水ポンプによって屋根棟上の散水管に導き、散水管からの散水によって消雪するものであって、加温水や地下水は一切使用することはない。【０００５】  そして降雪センサーを設けることによって、センサーが降雪を感知すると、揚水ポンプが作動して散水が開始される。このため本発明の循環式消雪装置を装備した屋根は、ボイラーやヒーター等を使用することなく、冬期間中常に冠雪することなく、屋根の損傷やすがもりのおそれもない。
【発明の効果】
【０００６】  上記のように本発明の雨水循環式屋根消雪装置は、従来の公知例のように、ボイラーやヒーターを使用することなく、また地下水を得るための井戸掘の必要もなく、雨水と融雪水のみで消雪するものであって、経費の点及び循環式であるため消雪作用の点からみて、卓越した作用効果を奏する。
【発明を実施するための最良の形態】
【０００７】  本発明の消雪装置は降雪センサーを設けることによって、降雪の状況をいち早く感知し、これよって連動する揚水ポンプを作動させることにより、散水を開始するものであり、このため屋根上に積雪を見ることはなく、常に無雪の状態を保つことができる。
【実施例】
【０００８】  添付図面により本発明の実施例を説明すると、図１は本発明の雨水循環式屋根消雪装置の全体の構成を示す実施例図であって、図中の符号（１）は屋根棟上に配設する散水管であって、図示していないが散水用の小孔が多数設けてある。【０００９】  （２）は貯水槽であって、家外に設置してあり、この貯水槽（２）には屋根軒端に設けた横樋（５）、立樋（６）が接続にあって、雨水や屋根からの雪溶け水は樋（５），（６）を伝って貯水槽（２）に溜る仕組となっている。【００１０】  貯水槽（２）には揚水ポンプＰが設けてあり、ポンプＰを作動させると、貯水槽（２）の水は家屋側壁の排水管（４）から屋根棟上の散水管（１）に送られて均一に一斉に散水される。そしてこの散水された水は融雪を促しながら屋根を下って樋に落ち、立樋から貯水槽（２）に落される。【００１１】  本発明の消雪装置には降雪センサー（６）が装着されていて、この降雪センサー（７）が降雪を感知するとポンプＰが作動して、貯水槽（２）からの揚水が始まり屋根上からの散水が開始されて融雪水は屋根から樋（５），（６）に落ちて貯水槽に戻り、このような操作が繰返し循環式に行われる。【００１２】  またこの屋根棟上に配設する散水管（１）は、取外し可能に装着されるもので、その構造は図２に詳記する。即ち棟上に散水管（１）を載置し、適当な間隔に取付け金具（３）を配してこの金具端をボルト（８）止めを行って散水管（１）を装着する。【００１３】  このように散水管（１）の装着は簡単なため冬期以外は取外しておくもので、冬期以外は雨水のみを屋根上から集めるものである。【００１４】  一般に真水（雨水を含めて）の場合は氷点下になると氷結するといわれているが、流水の場合は氷点下であっても−１０度位までは氷結しない。実験地山形市では最近過去１０年間で最低気温がマイナス１０℃を越したことは２度しかない。したがって気象予報で気温がマイナス７〜８℃近くまで下るような場合には夜間降雪がなくとも揚水ポンプＰの稼動をすすめる。
【図面の簡単な説明】
【００１５】
【図１】  全体を示す実施例図
【図２】  屋根棟上の散水管取付けの詳細図
【符号の説明】
【００１６】（１）…散水パイプ
（２）…貯水槽
（３）…散水管取付け金具
（４）…揚水管
（５）…横樋
（６）…立樋
（７）…降雷センサー
（８）…ボルト
Ｐ…ポンプ
【図１】
2005083180.tif 000003
【図２】
2005083180.tif 000004
(57)【要約】      （修正有）【課題】ガイド部を大型化することなくスライド装置の剛性を向上させ、小型で剛性の高いスライド装置を提供することにより、搬送装置および搬送ラインの大型化を防ぎ、設備費を安価なものとする。【解決手段】流体圧により往復動作を行うシリンダ装置のピストンロッド７に連結された複数のガイドロッド２の両端をフレーム３によって連結し、ガイド部の剛性の向上を図る装置構成とした。【選択図】図１
2005083544.tif 000002
【特許請求の範囲】
【請求項１】
流体によって往復動作を行うピストンを内部に収容したシリンダからなる駆動部と、往復動作を行うピストンに連動しシリンダ本体より突出した状態で往復動動作を行うピストンロッドと、ピストンロッドの軸方向の動作を案内するためのロッドと軸受けより構成したガイド部からなるガイド機構付きスライド装置において、ガイド部を構成する複数のロッド端を連結プレートによって連結したことを特徴とするガイド機構付きスライド装置。
【発明の詳細な説明】
【技術分野】
【０００１】
本発明は、装置単体又は組み合わせによってワークなどの搬送等に使用されるスライド装置に関するものである。
【背景技術】
【０００２】
流体圧によって往復動作を行うシリンダ装置の単体又は組み合わせにより、ワークなどの物品の搬送を行うスライド装置には様々な方式のものが知られている。
【０００３】
通常のシリンダ装置を水平方向に使用した場合、シリンダ前進時にロッド先端部に撓みが生じ、該ロッド先端部の撓み量はシリンダストロークが長くなるほど大きくなるため、動作ストロークの長い装置において先端部の停止位置のズレ問題や、ピストンロッドが撓むことでピストンロッドのガイド部に生じる負荷によりガイド部やロッドシール部の寿命が短くなってしまうなどの問題が有った。
【０００４】
前記した様な問題を解消するために、実開昭６２−１９６９０８号公報のような流体圧によって往復動作を行うシリンダの両サイドに軸受けと該軸受けにガイドされる複数本のガイドロッドを配設し、連結プレートによってピストンロッドと連結することでピストンロッドの撓みを抑える方法が使用される。
【０００５】
上記方法を使用することでピストンロッドの撓み量を小さくすることが可能であるが、シリンダストロークが長くなるほどガイド部に剛性が必要とされ、スライド装置が大型化するため、スライド装置を設置するための設置スペースや加工機等の装置内に侵入する際の侵入スペースに広いスペースを必要とするため搬送装置ならびに搬送ライン全体の大型化や、それに伴う設備費の増加が問題となっている。
【特許文献１】実開昭６２−１９６９０８号公報  図１
【発明の開示】
【発明が解決しようとする課題】
【０００６】
本発明は、ガイド部を大型化することなくスライド装置の剛性を向上させ、小型で剛性の高いスライド装置を提供することにより、搬送装置および搬送ラインの大型化を防ぐと共に設備費を安価なものとすることを目的とする。
【課題を解決するための手段】
【０００７】
本発明は、前記した課題を解決するための手段として、流体圧により往復動作を行うシリンダ装置のピストンロッドに連結された複数のガイドロッドの両端をガイドフレームによって連結し、ガイド部の剛性の向上を図る装置構成とした。
【発明の効果】
【０００８】
以上説明したようにガイドロッドを連結するガイドフレームを設けたことにより、軸受けやガイドロッド径を大きくすること無くガイド部の剛性向上を図ることができ、小型且つ高剛性なスライド装置を安価に提供することが可能となった。  更に、小型且つ高剛性なスライド装置を使用することにより搬送装置の小型化ならびに設備費の低減が可能となった。
【０００９】
また、スライド装置先端部に各種搬送装置を取り付けた際に駆動源を供給するための配管又は配線をガイドフレームに配設可能な装置構成としたことで、配管又は配線が周辺装置に干渉すること無く動作する事が出来る。
【発明を実施するための最良の形態】
【００１０】
以下、本発明の実施の形態を図面に基づいて説明する。
【００１１】
図１に示すように本実施例スライド装置は、流体圧によって往復動作を行うシリンダ１により構成される駆動部と、該シリンダ１の両サイドに配置した軸受け４とガイドロッド２からなるガイド部と、前記した駆動部とガイド部が配設されたベース６から構成される。
【実施例１】
【００１２】
駆動部及びガイド部が配設されるベース６は、取り付け孔が設けられた底面と底面に対し垂直且つ対向して設けられた２つの壁面より構成され、対向する壁面の一方には駆動部であるシリンダ１が取り付けられ他方にはシリンダ１が干渉しない為の切り欠き部が設けられている。
【００１３】
駆動部であるシリンダ内には流体圧によって往復動作可能にピストンが収容されており、該ピストンにはピストンロッド７がシリンダ１より突出した状態で往復動作可能に設けられている。
【００１４】
駆動部であるシリンダ１の取り付けられた一方の壁面と該壁面に対向する他方の壁面には軸受け４がシリンダ１を挟むように配設され、該軸受け４にはガイドロッド２が挿入される。
【００１５】
該ガイドロッド２は連結プレート５によってピストンロッド７と連結すると共にガイドロッド端面に取り付けたガイドフレーム３によって両ガイドロッド２の連結を行っている。
【００１６】
次に本発明のスライド装置の動作について述べる。
駆動部であるシリンダ１の第１圧力ポート８へ流体圧を供給すると圧力室へ供給され流体圧によってピストンが図面左方向へ移動を開始する。ピストンが移動を開始するのに連動してピストンロッド７と連結プレート５によりピストンロッド７に連結されたガイドロッド２が図面左方向へ移動を開始し、ピストンがシリンダ内壁に当接し移動を完了すると同時に移動を停止する。この時ピストンロッド７はガイドロッド２とガイドロッド２を連結するガイドフレーム３によってガイドされるためピストンロッド７に対し垂直方向からの荷重に僅かな撓みしか生じない。
【００１７】
次に第２圧力ポート９より流体圧を供給すると圧力室に供給される流体圧によってピストンが図面右方向へ移動を開始し、該ピストンに連動しピストンロッド７とガイドロッド２が移動を行い、ピストンがシリンダ内壁に当接し移動を完了すると同時に移動を完了する。
【産業上の利用可能性】
【００１８】
さっこん加工および搬送ラインにおいては少量多種で様々な重量のワークに対応することが求められるため、剛性を必要とし装置が大型化してしまう傾向があるが、ガイドフレームを設け小型かつ高剛としたスライド装置は搬送装置を大型化させることなく様々な搬送装置に適用することができる。
【図面の簡単な説明】
【００１９】
【図１】本実施例の装置の平面図
【００２０】
【図２】従来例を表す図
【符号の説明】
【００２１】
１    ピストン
２    ガイドロッド
３    ガイドフレーム
４    軸受け
５    連結プレート
６    ベース
７    ピストンロッド
８    第１圧力ポート
９    第２圧力ポート
【図１】
2005083544.tif 000003
【図２】
2005083544.tif 000004
(57)【要約】      （修正有）【課題】パイプの加工、及び締め付け作業を簡略化できる継手の提供。【解決手段】継手本体の内面に設けられたオーリングあるいはパッキン等はパイプ外面に気密に接続され、又パイプ外面はグリップリングの爪状の突起により固定され継手本体とグリップリングは、袋ナットの傾斜したスライド面３を介して一体となっている。【効果】パイプが継手に挿入された場合、パイプ外部でオーリングあるいはパッキン等により気密に接続され、又パイプ外面は爪状の突起の付いたスライド式グリップリングにより固定され、傾斜したスライド面で接する袋ナットによって、継手本体と一体となる。パイプが抜け出そうとすれば、袋ナットとグリップリングの接する、傾斜したスライド面の動きにより、グリップリングはさらに強くパイプを締め付け、離脱は防止され、流体の漏えいも防がれる。【選択図】図４
2005083572.tif 000002
【特許請求の範囲】
【請求項１】
配管の継手で、パイプの外面と気密に接する部位に設けたオーリングにより流体の漏えいを防ぎ、パイプの外面を、傾斜したスライド面で接する、袋ナットと、内面に爪状突起のついた、スライド式グリップリングにより締め付け、離脱防止をする、配管用継手、及びパイプの接続方法
【請求項２】
配管の継手で、片側に雄のネジ部、又反対側の内面はパイプの外面と気密に接する部位に設けたオーリングにより流体の漏えいを防ぎ、パイプの外面を、傾斜したスライド面で接する、袋ナットと、内面に爪状突起のついた、スライド式
グリップリングにより締め付け、離脱防止をする、配管用継手、及びパイプの接続方法
【発明の詳細な説明】
【発明の詳細な説明】
【技術分野】
【０００１】  本発明は、配管に使用する継手に属するものである。
【背景技術】
【０００２】  これまでは、例えばステンレス鋼管等の接続方法には、ネジ込み式やオーリングを外部から締め付ける圧着式等がありネジ込み式にあっては、工数が多く手間が掛かり、コストも大きく、圧着式にあっては、圧着機で締め付け作業によって流体の漏えいを防いぐため圧着機が必要であった。
【発明が解決しようとする課題】
【０００３】  パイプ例えばステンレス鋼管等の配管作業において、パイプの加工や締め付けに多くの時間と労力を必要としていた。例えばネジ込み式の場合は、規格のパイプを必要な長さに切断し、ネジを切り、シール材及びシールテープを巻きつけ、パイプレンチ等で継手あるいはパイプを回転させて、これ以上締められなくなるまで締めたり、又は圧着機でオーリングを外部から締め付けるというものであった。
本発明は、配管作業の大半を占めている、パイプの加工、及び締め付け作業の簡素化出きる継手を提供し、労力及びコストの削減、又圧着機を使わないで簡単にモンキー等工具だけで、作業が出来流体の漏えいの危険を減少させることを目的としたものである。
【課題を解決するための手段】
【０００４】本発明は、オーリングあるいはパッキン等をパイプ外面に気密に接するように設け、流体の漏えいを防止する。又パイプの離脱防止は、傾斜したスライド面で接する袋ナットと内面に爪状突起が設けられたスライド式グリップリングによって行うものである。
【実施例】
【０００５】  配管の作業は、場所や空間や時間や季節等さまざま違った条件で行うものでその全てに対応出来なければならないのである。中でも最終的には作業性であり時間との兼ね合いが取りざたされていたのである。
本発明は、その作業性や時間との兼ね合いを課題とし小回りの効く継手が必要と考えたものである。以下図に基づき説明する。
図１、に基づいて説明する。図１は雌ネジと例えばステンレス鋼管との接続する継手で片側は雌ネジとの接続、又反対側は例えばステンレス鋼管の外面と気密に接する部位に設けた２オーリングにより流体の漏えいを防ぐ
図２、図３、に基づいて説明する。図１によって流体の漏えいを防いだパイプが離脱しないようにスライド面３が設けてある、又内面にはパイプに食い込んで離脱を防止する爪状突起が設けられており、図２のスライド面３と図３袋ナットのスライド面３でスライドする事によりパイプに爪が食い込んで離脱を防止する。
図４は接続状況、又は完了図である。
【発明の効果】
【０００６】  以上述べたように本発明により、継手はパイプ外面でオーリング等あるいはパッキン等により気密に接続され、流体の漏えいを防止する。又パイプの外面は爪状の突起の付いたスライド式グリップリングにより固定され、傾斜したスライド面で接する袋ナットによってさらに締め付けられ、離脱を防止する。
内部の流体に圧力が掛かり、パイプが抜け出そうとすれば、袋ナットとグリップリングの接する、傾斜したスライド面の働きにより、グリップリングはさらに強くパイプを締め付け、離脱は防止され、流体のの漏えいも同時に防がれる。配管時には、ネジ切り機・圧着機等が必要とせず、パイプの切断と外面の面取りだけで接続が可能となり、大幅な工数削減となり、作業者の技能が未熟でも、作業品質は均一に保たれ、前期目的は容易に達せられる
【図面の簡単な説明】
【図１】本発明の一実施例で、継手の構造図。
【図２】スライド式グリップリングの詳細図。
【図３】スライド式袋ナットの詳細図。
【図４】本発明の一実施例で、継手とパイプの接続状況図。
【符号の説明】
１    継手の外ネジ
２    メスのＯリングあるいはパッキン
３    傾斜したスライド面
４    爪状の突起
５    接続状況
６    袋ナット
【図１】
2005083572.tif 000003
【図２】
2005083572.tif 000004
【図３】
2005083572.tif 000005
【図４】
2005083572.tif 000006